(57)【要約】【課題】扁平形状の筒状体からなる毛髪保持具の内部に、毛髪束を容易に挿入又は挿通することができる毛髪挿入具を提供すること。【解決手段】一端の開口部から他端の開口部に向けて毛髪束Ｈを挿通可能にシートにより構成された扁平形状の筒状体からなる毛髪保持具の内部に、毛髪束Ｈを挿入又は挿通する毛髪挿入具であって、毛髪束Ｈを係止し得るフック部２１を一端部に有する略棒状の本体２と、該フック部２１の開口部２１Ａを閉鎖する蓋部３とからなる。【選択図】    図２
2004261195.tif 000002
【特許請求の範囲】
【請求項１】
一端の開口部から他端の開口部に向けて毛髪束を挿通可能にシートにより構成された扁平形状の筒状体からなる毛髪保持具の内部に、毛髪束を挿入又は挿通する毛髪挿入具であって、
毛髪束を係止し得るフック部を一端部に有する略棒状の本体と、該フック部の開口部を閉鎖する蓋部とからなる毛髪挿入具。
【請求項２】
前記蓋部は、一端部に櫛歯を有する櫛歯部材であり、該櫛歯部材は、前記本体に対してその長手方向に摺動自在に構成されており、その前記櫛歯は、その先端が前記フック部に向けて形成されており、
毛髪束を、前記フック部に係止させた状態で該フック部と前記櫛歯とで固定するようになしてある請求項１記載の毛髪挿入具。
【請求項３】
前記櫛歯部材は、前記本体の両面にそれぞれ設けられている請求項１又は２記載の毛髪挿入具。
【請求項４】
前記蓋部は、前記フック部に対し可動に構成されている請求項１記載の毛髪挿入具。
【請求項５】
前記フック部と前記蓋部とは、一対の鍬形の角状に構成されている請求項４記載の毛髪挿入具。
【請求項６】
前記蓋部は、弾性部材により前記フック部に向けて常時付勢されている請求項１〜５の何れかに記載の毛髪挿入具。
【請求項７】
毛髪束の係止された前記本体を前記毛髪保持具の内部へ挿入した後に、該本体がその挿入方向の反対方向に戻るのを阻止する戻り阻止部が、前記本体の厚み方向の両側縁部に設けられている請求項１〜６の何れかに記載の毛髪挿入具。
【請求項８】
前記蓋部は、外力により前記フック部の開口部が開放され且つ該外力が解除されるとその反発弾性力により該フック部の開口部が閉鎖されるように構成されている請求項４〜７の何れかに記載の毛髪挿入具。
【発明の詳細な説明】
【０００１】
【発明の属する技術分野】
本発明は、一端の開口部から他端の開口部に向けて毛髪束を挿通可能にシートにより構成された扁平形状の筒状体からなる毛髪保持具の内部に、毛髪束を挿入又は挿通する毛髪挿入具に関する。
【０００２】
【従来の技術及び発明が解決しようとする課題】
特開平１０−１９２０３６号公報には、筒状体からなる毛髪巻取具（毛髪保持具）の内部に毛髪を挿入する毛髪取込具（毛髪挿入具）が記載されている。この毛髪取込具は、棒状体の端部に毛髪を包囲可能な環部または鉤状部が一体成形されてなり、環部または鉤状部の内側全面又は一部が毛髪を梳き得る櫛状になっているものである。尚、前記公報には、前記鉤状部の形態については具体的に記載されていない。
前記毛髪取込具によれば、その環部に毛髪を挿通・係止させた後、その状態で該毛髪取込具を毛髪巻取具内に挿通することにより、毛髪を毛髪巻取具内に挿通することができる。
【０００３】
しかし、前記毛髪取込具では、毛髪を毛髪巻取具内に挿通している途中において、毛髪が環部の係止位置からずれ落ち易く、毛髪の毛髪巻取具内への挿入・挿通作業が容易ではない。また、毛髪束を手で持ち替えるので、毛髪束が乱れてしまい、毛髪巻取具の操作を簡単に行うことが出来ない。
【０００４】
従って、本発明の目的は、扁平形状の筒状体からなる毛髪保持具の内部に、毛髪束を容易に挿入又は挿通することができる毛髪挿入具を提供することにある。
【０００５】
【特許文献１】
特開平１０−１９２０３６号公報
【０００６】
【課題を解決するための手段】
本発明は、一端の開口部から他端の開口部に向けて毛髪束を挿通可能にシートにより構成された扁平形状の筒状体からなる毛髪保持具の内部に、毛髪束を挿入又は挿通する毛髪挿入具であって、毛髪束を係止し得るフック部を一端部に有する略棒状の本体と、該フック部の開口部を閉鎖する蓋部とからなる毛髪挿入具を提供することにより前記目的を達成したものである。
【０００７】
【発明の実施の形態】
以下、本発明の毛髪挿入具を、その好ましい一実施形態について、図１〜図３を参照して説明する。
本実施形態の毛髪挿入具１は、図１〜図３に示すように、一端の開口部Ｔ１から他端の開口部Ｔ２に向けて毛髪束Ｈを挿通可能にシートにより構成された扁平形状の筒状体からなる毛髪保持具Ｔの内部に、毛髪束Ｈを挿入又は挿通する毛髪挿入具であって、毛髪束Ｈを係止し得るフック部２１を一端部に有する略棒状の本体２と、該フック部２１の開口部２１Ａを閉鎖する蓋部３とからなる。
【０００８】
本実施形態の毛髪挿入具１について更に詳述する。
前記本体２は、図１に示すように略扁平棒状であり、一端部に鉤状のフック部２１を有し、また、他端部２４の近傍は、筒状体からなる毛髪保持具Ｔに挿入し易いように先細り形状となっている。また、本体２の長手方向中央部には、長手方向に断面凹状の摺動凹部２５が形成されている。
【０００９】
また、毛髪束Ｈの係止された前記本体２を前記毛髪保持具Ｔの内部へ挿入した後に、該本体２がその挿入方向の反対方向に戻るのを阻止する戻り阻止部２２が、前記本体２の幅方向の両側縁部に設けられている。詳述すると、戻り阻止部２２は、本体２における他端部２４と摺動凹部２５との間の領域に、本体２の全周に亘ってフック部２１に向けて拡開するように形成されている。
また、本体２における摺動凹部２５のフック部２１寄りの領域の幅方向の両側縁部に、毛髪挿入具１を把持する際の滑り止めとして、滑り止め部２３が、フック部２１に向けて拡開するように形成されている。
【００１０】
前記蓋部３は、図１に示すように、一端部に櫛歯３１を有する櫛歯部材であり、該櫛歯部材３は、前記本体２に対してその長手方向に摺動自在に構成されており、その前記櫛歯３１は、その先端が前記フック部２１に向けて形成されており、毛髪束Ｈを、前記フック部２１に係止させた状態で該フック部２１と前記櫛歯３１とで固定するようになしてある。
前記櫛歯部材３の他端部を含む摺動凸部３２は、本体２の前記摺動凹部２５に嵌合する断面形状を有している。該櫛歯部材３は、前記本体２の両面にそれぞれ設けられている。
【００１１】
前記櫛歯部材３は、弾性部材（図示せず）により前記フック部２１に向けて常時付勢されている。該弾性部材は、本体２における櫛歯部材３で覆われる部分に形成された空隙部（図示せず）に配置されたコイルばねであり、該コイルばねで本体２と櫛歯部材３とが連結されており、櫛歯部材３にフック部２１に向かう付勢力を発生させている。
櫛歯部材３は、本体２の他端部２４方向には、櫛歯部材３の摺動凸部３２が本体２の摺動凹部２５の端部に当接するまで摺動可能となっており、また、フック部２１方向には、櫛歯３１の先端がフック部２１から外方に位置するまで摺動可能になっている。
【００１２】
本体２及び櫛歯部材３は、合成樹脂材料の切削又は成形加工、金属材料の切削加工等により形成することができ、本実施形態においては、合成樹脂材料の切削加工により形成されている。
【００１３】
次に、本発明の毛髪挿入具の一実施形態の一使用態様について、図２及び図３を参照しながら説明する。
先ず、図２（ａ）に示すように、櫛歯部材３がフック部２１側に位置している状態の毛髪挿入具１において、図２（ｂ）に示すように、櫛歯部材３を本体２の他端部２４に向けて前記弾性部材の付勢力に反する方向に摺動移動する。櫛歯部材３は、摺動凸部３２が本体２の摺動凹部２５の端部に当接するまで移動することができ、そうすると、それまで櫛歯部材３で隠れていたフック部２１が露出する。尚、櫛歯部材３はフック部２１に向けて付勢されているので、フック部２１を露出状態に維持するには、櫛歯部材３を保持しておく必要がある。
【００１４】
次に、図２（ｃ）に示すように、毛髪保持具Ｔに挿入しようとする毛髪束Ｈをフック部２１に係止する。そして、櫛歯部材３の保持をやめると、図２（ｄ）に示すように、櫛歯部材３は付勢力によりフック部２１に向けて摺動移動し、フック部２に係止されている毛髪束Ｈを、本体２の両面にそれぞれ設けられた櫛歯部材３で両側から挟み込んで固定することができる。
【００１５】
このように毛髪束Ｈが固定された状態の本実施形態の毛髪挿入具１を、図３（ａ）〜（ｃ）に示すように、本体２の他端部２４から毛髪保持具Ｔの一端の開口部Ｔ１へ挿入し、他端の開口部Ｔ２から抜き出す。ここで、毛髪挿入具１のフック部２１を毛髪保持具Ｔの他端の開口部Ｔ２から抜き出す直前に、櫛歯部材３を本体２の他端部２４側に少し摺動移動し、毛髪束Ｈの固定を解くことが好ましい。
【００１６】
このようにして毛髪挿入具１を毛髪保持具Ｔを一端の開口部Ｔ１から他端の開口部Ｔ２に挿通させると、図３（ｃ）に示すように、毛髪束Ｈの先端が毛髪保持具Ｔの他端の開口部Ｔ２から少しはみ出た状態となる。然る後、毛髪保持具Ｔを巻回する等して、毛髪束に所定の巻きぐせを付与することができる。
尚、必ずしも、毛髪束Ｈの先端を毛髪保持具Ｔの他端の開口部Ｔ２からはみ出させる必要はない。また、毛髪束には、明確には束になっていないが、ある程度の本数の毛髪がまとまっているものを含む。
【００１７】
本実施形態の毛髪挿入具１によれば、前述の手順で毛髪束Ｈを容易に毛髪保持具Ｔの内部に挿通できる。その際、フック部２１に係止された毛髪束Ｈがフック部２１と櫛歯３１とで固定されているため、毛髪束Ｈを毛髪保持具Ｔ内に取り込んでいる途中でフック部２１から毛髪束Ｈがずれ落ち難い。また、毛髪束Ｈを毛髪保持具Ｔ内に取り込む際に生じる反力で本体２に毛髪保持具Ｔへの挿入方向とは反対方向の力が加わっても、本体２に形成された戻り阻止部２２が毛髪保持具Ｔの内周面と引っ掛かり、毛髪挿入具１を毛髪保持具Ｔからスムーズに抜き出し易い。更に、毛髪束を環状のフック部に係止する場合には、毛髪束を環状のフック部に挿通した後、毛髪束を持ち直す必要があり、毛髪束が乱れ、毛髪保持具の操作が煩雑になるところ、本実施形態によれば、毛髪束Ｈを鉤状のフック部２１に係止するので、毛髪束Ｈを持ち直す必要がなく、毛髪束が乱れず、毛髪保持具の操作が容易である。
【００１８】
次に、本発明の毛髪挿入具の別の実施形態について、図４〜図６を参照して説明する。これらの毛髪挿入具も、前記毛髪保持具Ｔの内部に毛髪束を挿入又は挿通するものである。
本実施形態の毛髪挿入具１は、図４に示すように、毛髪束Ｈを係止し得る鉤状のフック部４１を一端部に有する略棒状の本体４と、該フック部４１の開口部４１Ａを閉鎖する蓋部５とからなる。
【００１９】
本実施形態の毛髪挿入具１について、図４を参照して更に詳述する。
蓋部５は、フック部４１に対し可動に構成されており、具体的には、フック部４１の先端とフック部４１の基部４２とを繋ぐように設けられており、フック部４１の基部４２に設けられた回動軸５１により回動自在に固定されている。
また、フック部４１の基部４２には、線材を巻回して形成されたばね部材５２が、その一端部が蓋部５に係止され、その中間部が回動軸５１に巻回され、その他端部がフック部４１の基部４２に係止されている。そのため、蓋部５は、フック部４１の開口部４１Ａの外側〔図４（ｃ）に示す矢印の方向〕に向かって常時付勢されている。
【００２０】
このようにして、前記蓋部５は、外力により前記フック部４１の開口部４１Ａが開放され且つ該外力が解除されるとその反発弾性力により該フック部４１の開口部４１Ａが閉鎖されるように構成されている。
毛髪挿入具１の他端部（毛髪保持具の開口部に挿入する側）から中間部の構成は、丸棒状、角棒状等種々の構成とすることができる。
【００２１】
このように構成されたフック部４１及び蓋部５を有する毛髪挿入具１においては、フック部４１の開口部４１Ａは、未使用時においては、図４（ａ）に示すように閉鎖されているが、図４（ｂ）及び（ｃ）に示すように、蓋部５を内側に押圧する（外力を加える）ことにより、フック部４１の開口部４１Ａが開放され、毛髪束Ｈをフック部４１に挿通係止することができる。また、毛髪束Ｈをフック部４１に挿通係止すると、蓋部５への外力が解除され、蓋部５は、ばね部材５２による反発弾性力により、元の位置（フック部４１の先端に当接する位置）に戻り、フック部４１の開口部４１Ａが閉鎖される。そのため、本実施形態の毛髪挿入具１によれば、毛髪束Ｈをフック部４１に挿入係止した後、毛髪束Ｈを持ち替えることなく、毛髪保持具Ｔの操作を行うことができ、毛髪束Ｈが乱れず、毛髪保持具Ｔの操作が容易である。
【００２２】
フック部及び蓋部の構成が異なる別の実施形態を図５に示す。該実施形態の毛髪挿入具１においては、図５に示すように、フック部６１と蓋部７とは一体化しており、フック部６１及び蓋部７全体で、１周（３６０度）以上巻回し、蓋部７がフック部６１の基部６２に弾性的に当接している。即ち、フック部６１及び蓋部７全体で、コイル状に構成されている。
【００２３】
このように構成されたフック部６１及び蓋部７を有する毛髪挿入具によれば、図５（ｂ）に示すように、毛髪束Ｈを、フック部６１の基部６２と蓋部７との間を押し広げながら滑り込ませることにより、図５（ｃ）に示すように、フック部６１の開口部６１Ａに挿通係止することができる。毛髪束Ｈをフック部６１に挿通係止させると、蓋部７への外力が解除され、蓋部７がその弾性反発力によりフック部６１の基部６２側に戻り、そのためフック部６１の開口部６１Ａが閉鎖される。
図５に示す実施形態の毛髪挿入具１によれば、図４に示す実施形態の毛髪挿入具１と同様の効果が得られる。
【００２４】
フック部及び蓋部の構成が異なる更に別の実施形態を図６に示す。該実施形態の毛髪挿入具１においては、図６に示すように、正面視で櫛歯状のフック部８１と、該フック部８１の先端部が当接する蓋部９とを備えている。フック部８１と蓋部９とは、それらの基部（図示せず）において支点（図示せず）を中心に回動自在に連結されており、ばね部材（図示せず）により両者が接近する方向に常時付勢されている。また、蓋部９は、その基部を押すとテコの原理により、図６（ａ）に示す矢印の方向に開くようになっている。
【００２５】
フック部８１には、毛髪挿入具１の短手方向に延びる櫛歯８１Ｂが、長手方向に間隔を置いて５個設けられている。一方、蓋部９には、櫛歯８１Ｂの先端と対向する面に、長手方向に延びる溝部９Ａが形成されており、該溝部９Ａに櫛歯８１Ｂの先端部を当接し得るようになっている。
即ち、フック部８１の開口部８１Ａは、蓋部９により閉鎖し得るようになっている。
【００２６】
このように構成されたフック部８１及び蓋部９を有する毛髪挿入具１によれば、図６（ａ）、（ｂ）、（ｄ）で示す手順で、毛髪束Ｈをフック部８１に挿通係止することができる。
先ず、図６（ａ）に示すように、蓋部９の基部を押して（外力を加えて）、蓋部９を図６（ａ）に示す矢印の方向に開く。その結果、フック部８１の櫛歯８１Ｂの先端と蓋部９の溝部９Ａとが離間し、フック部８１の開口部８１Ａが開放する。その状態で、図６（ｂ）に示すように、毛髪束Ｈを、櫛歯８１Ｂの先端と溝部９Ａとの間を通して、櫛歯８１Ｂに掛止する。その後、蓋部９への外力を解除することにより、前記ばね部材による反発弾性力により、蓋部９が図６（ｂ）に示す矢印の方向に移動し、フック部８１の櫛歯８１Ｂの先端と蓋部９の溝部９Ａとが、図６（ｄ）に示すように当接する。その結果、フック部８１の開口部８１が閉鎖される。
【００２７】
また、図６に示す実施形態の毛髪挿入具１は、図６（ｃ）、（ｄ）で示す手順で、毛髪束Ｈをフック部８１に挿通係止することもできる。
先ず、毛髪束（図示省略）を、図６（ｃ）に示す矢印の方向から、蓋部９を外側に押圧しながら、フック部８１の櫛歯８１Ｂの先端と蓋部９の溝部９Ａとを離間させて、フック部８１に挿通させる。その後、蓋部９が元の位置に戻り、フック部８１の開口部８１が閉鎖される。
【００２８】
このような手順によっても、図６（ｄ）に示すように、毛髪束Ｈをフック部８１に挿通係止することができる。
尚、図６に示す実施形態においては、毛髪束Ｈを５個の櫛歯８１Ｂのうち、何れのものに掛止してもよい。毛髪束Ｈを少し解き、それぞれ複数の櫛歯８１Ｂに掛止してもよい。
【００２９】
本発明の毛髪挿入具は、前述した実施形態に制限されることなく、本発明の趣旨を逸脱しない限り、適宜変更が可能である。
例えば、本体のフック部は、前記実施形態のような鉤状に限定されず、先端がフック部の他の部分に当接した形態でもよく、完全な環状でもよい。
【００３０】
図１に示す実施形態のような、本体に対してその長手方向に摺動自在に構成された蓋部を備えた毛髪挿入具においては、蓋部３は、図７（ａ）及び（ｂ）に示すように、フック部２１寄りの端部３３が、本体の短手方向に対して略Ｊ字型形状となっているものでもよく、また、図８（ａ）及び（ｂ）に示すように、フック部２１寄りの端部３３が、本体の短手方向に対して平行直線状となっているものでもよい。
フック部２と蓋部３とは、図９（ａ）及び（ｂ）に示すように、一対の鍬形の角状に構成されていてもよい。
【００３１】
【発明の効果】
本発明の毛髪挿入具によれば、扁平形状の筒状体からなる毛髪保持具の内部に、毛髪束を容易に挿入又は挿通することができる。また、毛髪束をフック部に係止する際に、毛髪束を持ち直す必要がなく、毛髪束が乱れず、毛髪保持具の操作が容易である。
【図面の簡単な説明】
【図１】図１は、本発明の毛髪挿入具の一実施形態を示す正面図で、（ａ）は櫛歯部材がフック部側に位置している状態を示す図、（ｂ）は櫛歯部材が本体の他端部側に位置している状態を示す図である。
【図２】図２は、本発明の毛髪挿入具の一実施形態の一使用態様の前半を示す図で、（ａ）、（ｂ）、（ｃ）及び（ｄ）は、それぞれ毛髪束のフック部への固定手順を順次示す正面図である。
【図３】図３は、本発明の毛髪挿入具の一実施形態の一使用態様の後半を示す図で、（ａ）、（ｂ）及び（ｃ）は、それぞれ毛髪挿入具の毛髪保持具への挿通手順を順次示す正面図である。
【図４】図４は、本発明の毛髪挿入具の別の実施形態における一端部近傍を示す正面図で、（ａ）は毛髪束をフック部に係止する前の状態を示す図、（ｂ）及び（ｃ）はそれぞれ毛髪束のフック部への挿入係止手順を順次示す図である。
【図５】図５は、本発明の毛髪挿入具の更に別の実施形態における一端部近傍を示す正面図で、（ａ）は毛髪束をフック部に係止する前の状態を示す図、（ｂ）及び（ｃ）はそれぞれ毛髪束のフック部への挿入係止手順を順次示す図である。
【図６】図６は、本発明の毛髪挿入具の更に別の実施形態における一端部近傍を示す正面図で、（ａ）及び（ｃ）は毛髪束をフック部に係止する前の状態を示す図、（ｂ）及び（ｄ）は毛髪束のフック部への挿入係止手順を示す図である。
【図７】図７は、本発明の毛髪挿入具の更に別の実施形態における一端部近傍を示す正面図で、（ａ）はフック部の開口部を開放した状態を示す図、（ｂ）はフック部の開口部を閉鎖した状態を示す図である。
【図８】図８は、本発明の毛髪挿入具の更に別の実施形態における一端部近傍を示す正面図で、（ａ）はフック部の開口部を開放した状態を示す図、（ｂ）はフック部の開口部を閉鎖した状態を示す図である。
【図９】図９は、本発明の毛髪挿入具の更に別の実施形態における一端部近傍を示す正面図で、（ａ）はフック部の開口部を開放した状態を示す図、（ｂ）はフック部の開口部を閉鎖した状態を示す図である。
【符号の説明】
１  毛髪挿入具
２、４、６、８  本体
２１、４１、６１、８１  フック部
２１Ａ、４１Ａ、６１Ａ、８１Ａ  開口部
２２  戻り阻止部
２３  滑り止め部
２４  他端部
２５  摺動凹部
３、５、７、９  蓋部（櫛歯部材）
３１  櫛歯部
３２  摺動凸部
Ｈ  毛髪束
Ｔ  毛髪保持具
Ｔ１  一端の開口部
Ｔ２  他端の開口部
【図１】
2004261195.tif 000003
【図２】
2004261195.tif 000004
【図３】
2004261195.tif 000005
【図４】
2004261195.tif 000006
【図５】
2004261195.tif 000007
【図６】
2004261195.tif 000008
【図７】
2004261195.tif 000009
【図８】
2004261195.tif 000010
【図９】
2004261195.tif 000011